(57)【特許請求の範囲】
【請求項１】
被免震物が載る上ベースと、床面に設置される下ベースと、前記上下ベースが水平方向に相対動し得るように当該上下ベースの間に介在したボール又はコロとを備えており、前記上下ベースの間に、コードを、前記上下ベースが相対動しても前記ボール又はコロ若しくは他の部材と干渉しない状態に配線し、かつ、前記コードを上ベースの上面側に引き出している免震台であって、
前記コードを上ベースに摺動可能に挿通することと、上ベースの上面側にコードの余長部を設けることと、コードが上下ベースの間でピンと張るように上ベースの上面側に配置したばね又はゴムでコードの余長部を引っ張ることとにより、コードをボール又はコロ若しくは他の部材と干渉させることなく上下ベースが相対動することを許容している、
配線機能付き免震台。
【請求項２】
前記コードを下ベースに固定する一方、上ベースには、上下に貫通すると共に前記コードが摺動自在に通るガイド穴を設け、前記上ベースの上面箇所に、前記コードをガイド穴から引き出す方向に引っ張る引張ばねを設け、更に、前記コードのうちガイド穴からばねまでの間の余長部分の長さ寸法を、上下ベースの最大相対動ストロークと同じかそれよりも大きい寸法に設定している、
請求項１に記載した配線機能付き免震台。
【発明の詳細な説明】
【０００１】
【発明の属する技術分野】
本発明は、配線機能付き免震台に関するものである。
【０００２】
【従来の技術】
免震台は、一般に、床面又は地面に設置される下ベースと、被免震物が載る上ベースとを備えており、上下ベースの間にボールやコロを介在させることにより、上下ベースが水平方向に相対動することを許容している。
【０００３】
そして、例えば美術品や文化財を展示する展示ケースのように、灯具等の電気器具を備えた被免震物があり、これら電気器具付きの被免震物に使用するための配線機能付き免震台が提案されている。
【０００４】
この配線機能付き免震台では、電源コード（ケーブル）は、外部から下ベース内に引き込んで上ベースの上方に通すことになるが、ボール等の他の部材との干渉を防止するため、従来は、電源コードとして、中途部にスパイラル状のカール部が形成されたカールコードを使用して、カール部の一端部を下ベースに固定し、カール部の他端部を上ベースに固定することにより、上下ベースの相対動を許容した状態で上下ベース間に電源コードを通していた。
【０００５】
【発明が解決しようとする課題】
このようにカールコードを使用したものは、地震の後も通電状態が保持されるため、地震終息後に被免震物を元の状態に戻す復帰作業の手間を軽減できる利点がある。
【０００６】
しかし、かかる利点を有する反面、専用のコードを使用しなければならないため一般性に欠ける点や、電磁誘導現象による発熱が懸念される点、或いは二相電源に限られて三相交流用電源コードは使用し難い点などの問題があった。
【０００７】
ところで、例えば美術品用展示ケースに使用する比較的大型の免震台の場合、地震の揺れを吸収して免震するために上下ベースの相対動ストロークは一般に３００ｍｍ以上あり、したがって、カールコードのカール部は３００ｍｍ以上の長い寸法で伸び縮みできる必要がある。
【０００８】
しかるに、電源コードは電話線のような通信線とは異なってかなり太いため、上下ベースの相対動を許容させるための伸び縮みを確保するためには、カール部の巻き数を相当に多くしなければならなず、そうすると、縮んでいる状態でもカール部は相当の長さになるため、カール部を弛みのない状態で上下ベースの間に配置するためには上下ベースの間隔を広げなければならず、このために免震台が必要以上に嵩高になる傾向がある点も問題であった。
【０００９】
本発明は、これらの問題を改善した免震台を提供することを目的とする。
【００１０】
【課題を解決するための手段】
請求項１の発明に係る免震台は、被免震物が載る上ベースと、床面に設置される下ベースと、前記上下ベースが水平方向に相対動し得るように当該上下ベースの間に介在したボール又はコロとを備えており、前記上下ベースの間に、コードを、前記上下ベースが相対動しても前記ボール又はコロ若しくは他の部材と干渉しない状態に配線し、かつ、前記コードを上ベースの上面側に引き出している免震台であって、前記コードを上ベースに摺動可能に挿通することと、上ベースの上面側にコードの余長部を設けることと、コードが上下ベースの間でピンと張るように上ベースの上面側に配置したばね又はゴムでコードの余長部を引っ張ることとにより、コードをボール又はコロ若しくは他の部材と干渉させることなく上下ベースが相対動することを許容している。
【００１１】
また、請求項２の発明に係る免震台は、請求項１において、前記コードを下ベースに固定する一方、上ベースには、上下に貫通すると共に前記コードが摺動自在に通るガイド穴を設け、前記上ベースの上面箇所に、前記コードをガイド穴から引き出す方向に引っ張る引張ばねを設け、更に、前記コードのうちガイド穴からばねまでの間の余長部分の長さ寸法を、上下ベースの最大相対動ストロークと同じかそれよりも大きい寸法に設定している。
【００１２】
コードの配置場所としては、ボール等の他の部材との干渉を防止するため、上下ベースのコーナー部の近傍に設けるのが好ましい。
【００１３】
【発明の作用・効果】
本発明では、地震によって上下ベースが相対動しても、上下ベースの間でコードは引張ばね又はゴムによって張った状態に保持されており、このため、コードがボール等の他の部材と干渉することはなく、免震機能を阻害することはない。
【００１４】
そして、本発明では、コードはカールしていない通常のものをそのまま使用できるため、線の太さや芯線の数など、必要に応じて様々の種類のコードを選択して使用することができ、その結果、有用性を格段に向上できる。また、コードはカールさせる必要はないため、電磁誘導現象による発熱なども防止できる。
【００１５】
また、コードは上下ベースの間に張った状態に配置されているに過ぎないため、上下ベースの間隔を大きくする必要はなく、その結果、免震台が嵩高になることを防止できる。
【００１６】
ばね又はゴムは、スペースが許せば上下ベースのいずれにも設けることができるが、一般に、被免震物は下方に開口していて、上ベースの上方には大きな空間が空いていることが多いため、請求項２のように引張ばねを上ベースの上面箇所に設けると、ボール等の他の部材との干渉を確実に回避した状態でばねを配置できる利点がある。
【００１７】
【発明の実施形態】
次に、本発明の実施形態を図面に基づいて説明する。
【００１８】
(1).第１実施形態（図１〜図９）
図１〜図９では第１実施形態を示しており、このうち図１は全体の分離斜視図、図２は分離正面図、図３は図２の III-III視底面図、図４は組み立てた状態での図３のIV−IV視断面図である。まず、これらの図に基づいて免震台の基本構造を説明する。
【００１９】
≪基本構造≫
本実施形態は、美術品や文化財を展示するための展示ケース（陳列ケース）１に使用する比較的大型の免震台２に適用しており、免震台２は、展示ケース１が載る上ベース３と、床面（地面）に設置される下ベース４とを備えている。
【００２０】
上下ベース３，４は、それぞれ、鋼板製等の基板５，６と、基板５，６のコーナー寄り部位に固着した配置した４枚の支持板７，８と、周壁９，１０とを備えており、上下支持板７，８の間に、リテーナ１１に回転自在に保持されたボール１２を介在させている。支持板７，８と周壁９，１０との間には隙間が空いている。また、周壁９，１０の開口縁は折り返されて丸みを帯びている。
【００２１】
上支持板７の下面には凹曲面１３を形成しており、このため、上下ベース３，４は、凹曲面１３の直径Ｓの最大ストロークで水平方向に往復相対動し得る。なお、凹曲面１３は上下支持板７，８の両方、又は下支持板８のみに形成しても良い。
【００２２】
図では省略しているが、上ベース３の下面のうち支持板７で挟まれた部位と、下ベース４の上面のうち支持板８で挟まれた部位、及びリテーナ１１には、上下ベース３，４とリテーナ１１との三者の姿勢を保持した状態で相対動させるため、ガイドレールやランナーなどから成るガイド手段を設けている。また、地震のときだけ上下ベース３，４を相対動させるため、或いは揺れを減衰して共振を防止するため、粘性流体等を用いたダンパ装置も設けている（これらガイド手段やダンパ手段の具体例は、例えば特願平１１−１２４９５５号、同１１−３０８５９８号に記載されている）。
【００２３】
図１に示すように、上下ベース３，４には、展示ケース１で使用する照明装置（図示せ
ず）に電力を供給するためのコード１４が通されている。この配線構造の詳細を、図５及び図６に基づいて説明する。
【００２４】
≪配線構造≫
図５は上下ベース３，４を少しずらした状態での平面図、図６は上下ベース３，４を揃えた状態での図５のVI−VI視断面図である。本実施形態ではコード１４は三相交流用のものを使用しており、その一端にはプラグ１５を設けている。
【００２５】
下ベース４の周壁１０は１つのコーナー部の近傍箇所で切欠かれており、この切欠き部１６からコード１４を下ベース４の内部に引き込み、コード１４の一部を、押さえ具１７によって基板６に固定している。なお、図示していないが、切欠き部１６には、合成樹脂製等の保護エッジを装着するのが好ましい。
【００２６】
上ベース３の基板５のうち前記下ベース４の押さえ具１７に対応した部位には貫通穴１８を空け、貫通穴１８に装着した合成樹脂製のブッシュ１９を介してコード１４を上ベース３の上方に引き出している。ブッシュ１９の内径はコード１４よりも相当に大径で、かつ、上下開口縁は丸みを帯びている。このため、コード１４はブッシュ１９の内部を摺動自在に挿通できる。本実施形態では、ブッシュ１９の穴が請求項に記載したガイド穴に該当する。
【００２７】
ブッシュ１９を設けずに、貫通穴１８の開口縁に円弧状の丸みを付けることにより、貫通穴１８をそのままガイド穴と機能させてもよい。なお、ブッシュ１９の内径を、プラグ１５を挿通できる大きさに設定しておくと、コード１４の挿通作業が容易になって好ましい。
【００２８】
上ベース３の上面箇所には、当該上ベース３の対角方向に延びる引張ばね２０が配置されており、上ベース３の上方に引き出されたコード１４は、このばね２０により、ブッシュ１９から抜ける方向に引っ張られている。ばね２０の後端は、上ベース３に固定したブラケット２１に係止されており、ばね２０の前端はコード１４の中途部に取付けられている。
【００２９】
実施形態では、縛り具２２によってコード１４の中途部にリング部１４ａを形成し、このリング部１４ａにばね２０の前端を取付けているが、例えば針金や紐でコード１４の中途部とばね２０の前端とを結ぶなど、他の手段でばね２０とコード１４とを固定しても良い。
【００３０】
コード１４のうちブッシュ１９からリング部１４ａまでの範囲は、コード１４の動きを吸収するための余長部１４ｂとなっており、この余長部１４ｂの長さＬは、上下ベース３，４の最大相対動ストロークＳよりも大きい寸法に設定されている。コード１４のうちリング部１４ａを挟んで余長部１４ｂと反対側の部位には、余長部１４ｂがブッシュ１９の下方に引き込まれることを許容するため、少なくとも、上下ベース３，４の最大相対動ストロークＳだけの長さの弛み部１４ｃになっている。
【００３１】
上ベース３における各支持板７のうち、ブッシュ１９に近接した支持板７は、ブッシュ１９に対応したコーナー部が切欠かれている（切欠部を符号２３で示す）。これは、コード１４との干渉を防止するためである。
【００３２】
なお、ばね２０は任意の姿勢に設定できるが、図示の形態のように対角方向に延びる状態に配置すると、コード１４の余長部１４ｂ及びばね２０を十分な長さに取れる利点がある。
【００３３】
≪作動状態≫
図７及び図８は作動状態を示す正断面図、図９は作動状態の一例を示す平面図であり、これらの図に示すように、地震によって上下ベース３，４が相対動すると、上下ベース３，４がどのような方向に相対動しても、下ベースの押さえ具１７と上ベース３のブッシュ１９との間隔は大きくなるが、ばね２０の伸び変形によってコード１４とブッシュ１９との相対動が許容されるため、コード１４は上下ベース３，４の間でピンと張った状態のままに保持される。
【００３４】
すなわち、上下ベース３，４の相対動を許容した状態で、コード１４は上下ベース３，４の間で張った状態に保持され、このため、コード１４とボール１２等との干渉を防止して的確に免震できる状態で配線することができる。そして、コード１４は上下ベース３，４の間でピンと張った状態であるため、通常のコードをそのまま使用することができ、太さの太い三相交流用コードであってもそのまま使用することが可能となる。
【００３５】
(2).第２実施形態（図10〜図11）
図１０及び図１１に示すのは第２実施形態であり、図１０は上下ベース３，４を少しずらした状態での平面図、図１１は上下ベース３，４を揃えた状態での図１０のXI−XI視断面図である。
【００３６】
この例では、コード１４は、下ベース４におけるコーナー部の外周面に押さえ具１７で固定している。上下ベース３，４の周壁９，１０の間にコード１４を通すに十分な間隔が空いている場合は、この図１０の形態も可能である。
【００３７】
(6).その他
本発明は、上記の各実施形態の他に様々の態様に具体化できる。例えばコードは電源用のものに限らず、警報機用信号線など、様々のものが対象になる。複数本のコードを束ねた状態で通すことも可能である。
【００３８】
下ベースの側面や上ベースの上面にコンセントを設けて、これにコードを接続し、外部コードと前記コンセントにプラグを介して接続しても良い。免震台の基本構造は必要に応じて様々に設定できる。例えば、上下ベースとも基板を備えた構造には限らず、フレームに支持板を固着した構造などでも良い。
【００３９】
弾性手段はばねに限らず、ゴムも使用できる。コードの滑りを良くするため、当該コードの外周面にワックスを塗布しておいても良い。更に、本願発明は、展示ケース用のみでなく、家具類、装置類、機器類、店舗用什器類などの様々のものの免震台に広く適用できる。
【図面の簡単な説明】
【図１】第１実施形態の分離斜視図である。
【図２】同じく分離正面図である。
【図３】図２の III-III視底面図である。
【図４】組み立てた状態での図３のIV−IV視断面図である。
【図５】上下ベースを少しずらした状態での要部平面図である。
【図６】上下ベースを揃えた状態での図５のVI−VI視断面図である。
【図７】作動状態を示す断面図である。
【図８】同じく作動状態を示す断面図である。
【図９】作動状態を示す平面図である。
【図10】第２実施形態の平面図である。
【図11】図１０のXI−XI視断面図である。
【符号の説明】
１  被免震物の一例としての展示ケース
２  免震台
３  上ベース
４  下ベース
１１  リテーナ
１２  ボール
１３  支持板の凹曲面
１４  コード
１４ｂ  余長部分
１７  押さえ具
１９  ブッシュ
２０  引張ばね
【図１】
0003863340.tif 000002
【図２】
0003863340.tif 000003
【図３】
0003863340.tif 000004
【図４】
0003863340.tif 000005
【図５】
0003863340.tif 000006
【図６】
0003863340.tif 000007
【図７】
0003863340.tif 000008
【図８】
0003863340.tif 000009
【図９】
0003863340.tif 000010
【図１０】
0003863340.tif 000011
【図１１】
0003863340.tif 000012